(57)【要約】【課題】空調負荷を低減し、かつ、耐用年数の高い遮熱システムを提供すること。【解決手段】遮熱システム１は、室外３から室内２に対して供給される熱を遮蔽する遮熱システム１であって、室外３と室内２の間に設置されるロールスクリーン１０であって、室外３と当該ロールスクリーン１０との間に遮熱空間９を形成するロールスクリーン１０と、ロールスクリーン１０の巻き取り及び巻き出しを行うことでロールスクリーン１０の昇降を行う巻取り軸３０と、巻取り軸３０を収容するカーテンボックス４０と、遮熱空間９の空気を吸気する吸気ファン５０と、遮熱空間９からカーテンボックス４０を介して室内２に流入する空気の流入路を遮蔽するカバー６０とを備える。【選択図】図３
2013227750.tif 000002
【特許請求の範囲】
【請求項１】
熱供給空間から遮熱対象空間に対して供給される熱を遮蔽する遮熱システムであって、
前記熱供給空間と前記遮熱対象空間の間に設置されるロールスクリーンであって、前記熱供給空間と当該ロールスクリーンとの間に遮熱空間を形成するロールスクリーンと、
前記ロールスクリーンの巻き取り及び巻き出しを行うことで前記ロールスクリーンの昇降を行う巻取り手段と、
前記巻取り手段を収容する収容手段と、
前記遮熱空間の空気を吸気する吸気手段と、
前記遮熱空間から前記収容手段を介して前記遮熱対象空間に流入する空気の流入路を遮蔽する遮蔽手段とを備えた、
遮熱システム。
【請求項２】
前記熱供給空間と前記遮熱対象空間との間に少なくとも透光性を有する仕切り手段を備える場合において、
前記仕切り手段と前記遮熱対象空間との間に前記ロールスクリーンが設置され、前記仕切り手段と前記ロールスクリーンとの間の空間を前記遮熱空間とした、
請求項１に記載の遮熱システム。
【請求項３】
前記収容手段は、少なくとも前記巻取り手段を収容可能な略箱状に形成され、
前記収容手段の側壁には、前記吸気手段と接続される吸気口と、前記ロールスクリーンの巻取り口とを形成し、
前記遮蔽手段は、前記巻取り口における前記ロールスクリーンよりも前記遮熱対象空間側の面を遮蔽する、
請求項１又は２に記載の遮熱システム。
【請求項４】
前記巻取り手段及び前記吸気手段を制御する制御手段を備え、
前記制御手段は、前記巻取り手段に前記ロールスクリーンの巻取り又は巻き出しを行わせることにより、前記遮熱対象空間から前記遮熱空間への空気流入を可能とするための開放部を形成すると共に、前記吸気手段に前記遮熱空間の空気を吸気させる、
請求項１から３のいずれか一項に記載の遮熱システム。
【請求項５】
前記ロールスクリーンを昇降可能に保持するガイド手段を備える、
請求項１から４のいずれか一項に記載の遮熱システム。
【発明の詳細な説明】
【技術分野】
【０００１】
本発明は、遮熱システムに関する。
【背景技術】
【０００２】
冷暖房時における空調負荷を低減させるシステムとして、室内の開口部に二重のガラスを設け、その二重のガラスの内側のガラスの下部から室内の空気を誘引し、二重のガラスの隙間に誘引された空気を、天井裏に設けた吸気口から排出する、いわゆるエアフローウィンドウと称するシステムが利用されている。
【０００３】
しかし、このような二重のガラスを用いたエアフローウィンドウシステムは、通常の一重ガラスを用いた場合に比べて倍の枚数のガラスを設置する必要があるため、コストが高く、施工性も悪い。そこで、近年では、二重のガラスを用いたエアフローウィンドウシステムに代えて、二重のガラスのうち室内側のガラスをブラインドで代用し、そのブラインドをカーテンボックスから吊り下げ、カーテンボックスの側壁に設けた吸気口から空気の排出を行う、いわゆる簡易エアフローウィンドウと称するシステムが提案されている（例えば、特許文献１）。あるいはその他のシステムとしては、二重のガラスを用いずに、一重ガラスの表面に日射遮蔽フィルムを貼り付けて、外部からの放射熱を遮蔽することで空調負荷の低減を図るシステムが提案されている（例えば、特許文献２）。
【先行技術文献】
【特許文献】
【０００４】
【特許文献１】特開２００７−０１６４３６号公報
【特許文献２】特開２００５−３４３１１３号公報
【発明の概要】
【発明が解決しようとする課題】
【０００５】
しかし、上記特許文献１に記載の従来の簡易エアフローウィンドウシステムは、システムの稼動時にはブラインドを閉める必要があるが、このブラインドは透光性が低く、ブラインドを閉めた状態で室外を見渡せないため、室内に滞在する人間に対して閉塞感を与えてしまう。また、この簡易エアフローウィンドウシステムは、ブラインドの上部において、カーテンボックス内部の空間と、室内空間とが連通している。このため、ブラインドと窓ガラスの間の空間を介してカーテンボックスに誘引された空気が、吸気口に吸い込まれずに室内に逆流してしまう事が有る。ここで、例えば夏季など室内温度を低く保ちたい場合に、ブラインドと窓ガラスの間の空間を通ることで日光の放射熱により暖められた空気が、吸気口に吸い込まれずに室内に逆流してしまうと、空調負荷を増大させてしまう可能性があった。
【０００６】
また、上記特許文献２に記載の一重ガラスの表面に日射遮蔽フィルムを貼り付けたシステムは、フィルムの耐用年数が低いためにフィルムを定期的に交換する必要が有り、システムの維持に係る費用や手間が増大してしまう。
【０００７】
本発明は、上記に鑑みてなされたものであって、空調負荷を低減し、かつ、耐用年数の高い遮熱システムを提供することを目的とする。
【課題を解決するための手段】
【０００８】
上述した課題を解決し、目的を達成するために、請求項１に記載の遮熱システムは、熱供給空間から遮熱対象空間に対して供給される熱を遮蔽する遮熱システムであって、前記熱供給空間と前記遮熱対象空間の間に設置されるロールスクリーンであって、前記熱供給空間と当該ロールスクリーンとの間に遮熱空間を形成するロールスクリーンと、前記ロールスクリーンの巻き取り及び巻き出しを行うことで前記ロールスクリーンの昇降を行う巻取り手段と、前記巻取り手段を収容する収容手段と、前記遮熱空間の空気を吸気する吸気手段と、前記遮熱空間から前記収容手段を介して前記遮熱対象空間に流入する空気の流入路を遮蔽する遮蔽手段とを備えた。
【０００９】
また、請求項２に記載の遮熱システムは、請求項１に記載の遮熱システムにおいて、前記熱供給空間と前記遮熱対象空間との間に少なくとも透光性を有する仕切り手段を備える場合において、前記仕切り手段と前記遮熱対象空間との間に前記ロールスクリーンが設置され、前記仕切り手段と前記ロールスクリーンとの間の空間を前記遮熱空間とした。
【００１０】
また、請求項３に記載の遮熱システムは、請求項１又は２に記載の遮熱システムにおいて、前記収容手段は、少なくとも前記巻取り手段を収容可能な略箱状に形成され、前記収容手段の側壁には、前記吸気手段と接続される吸気口と、前記ロールスクリーンの巻取り口とを形成し、前記遮蔽手段は、前記巻取り口における前記ロールスクリーンよりも前記遮熱対象空間側の面を遮蔽する。
【００１１】
また、請求項４に記載の遮熱システムは、請求項１から３のいずれか一項に記載の遮熱システムにおいて、前記巻取り手段及び前記吸気手段を制御する制御手段を備え、前記制御手段は、前記巻取り手段に前記ロールスクリーンの巻取り又は巻き出しを行わせることにより、前記遮熱対象空間から前記遮熱空間への空気流入を可能とするための開放部を形成すると共に、前記吸気手段に前記遮熱空間の空気を吸気させる。
【００１２】
また、請求項５に記載の遮熱システムは、請求項１から４のいずれか一項に記載の遮熱システムにおいて、前記ロールスクリーンを昇降可能に保持するガイド手段を備える。
【発明の効果】
【００１３】
請求項１に記載の遮熱システムによれば、遮熱空間に取り入れられた空気が遮熱対象空間に流入することを遮蔽手段によって防ぐことが可能であり、遮蔽手段を備えない遮熱システムに比べて、空調負荷を低減することが可能である。
【００１４】
請求項２に記載の遮熱システムによれば、仕切り手段とロールスクリーンの間の空間の空気を吸気手段により吸気することが可能である。このため、例えば、既設の仕切り手段の室内側に遮熱システムを設置することで、仕切り手段とロールスクリーンとの相互間に遮熱空間を形成して遮熱を行うことができる。
【００１５】
請求項３に記載の遮熱システムによれば、遮蔽手段が、収容手段の巻取り口におけるロールスクリーンよりも遮熱対象空間側を遮蔽することで、遮熱空間に取り入れられた空気が収容手段を介して遮熱対象空間に流入することを防止することが可能である。
【００１６】
請求項４に記載の遮熱システムによれば、制御手段が自動で開放部を形成することによって、手動で巻取り手段を操作してロールスクリーンの巻取り又は巻出しを行う手間を省くことが可能である。また、開放部から遮熱空間へ空気を取り込むことができるので、遮熱空間の空気を吸気することに伴って遮熱空間の圧力が大きな負圧となることを防止することができ、ロールスクリーンが遮熱空間側に引き寄せられて変形等することを防止することが可能である。
【００１７】
請求項５に記載の遮熱システムによれば、ロールスクリーンと窓枠との間に隙間が生じることをガイド手段によって防止することができるので、遮熱空間の気密性を向上させることができ、遮熱システムの空調負荷を一層低減することが可能である。
【図面の簡単な説明】
【００１８】
【図１】本発明の実施の形態１に係る遮熱システムの側断面図である。
【図２】図１の領域Ａの拡大図である。
【図３】図２の斜視図である。
【図４】遮熱システムの使用時における側断面図である。
【図５】本発明の実施の形態２に係る遮熱システムの概要図である。
【発明を実施するための形態】
【００１９】
以下に添付図面を参照して、この発明に係る遮熱システムの各実施の形態を詳細に説明する。まず、〔Ｉ〕各実施の形態に共通の基本的概念を説明した後、〔II〕各実施の形態の具体的内容について説明し、〔III〕最後に、各実施の形態に対する変形例について説明する。ただし、各実施の形態によって本発明が限定されるものではない。
【００２０】
〔Ｉ〕各実施の形態に共通の基本的概念
まず、各実施の形態に共通の基本的概念について説明する。各実施の形態に係る遮熱システムは、熱供給空間から遮熱対象空間に対して供給される熱を遮熱するシステムである。ここで、「遮熱対象空間」とは、遮熱システムが遮熱を行う対象となる空間のことであり、「熱供給空間」とは、遮熱対象空間に対して熱を供給する空間のことであり、これらの両空間は室内であるか室外であるかに限定されない。熱供給空間から遮熱対象空間への熱供給形態としては、対流熱、伝導熱、あるいは放射熱が該当する。
【００２１】
この遮熱システムは、熱供給空間からの放射熱が遮熱対象空間に放射されることを遮る必要のある任意の地点に設置することが可能であるが、各実施の形態に係る遮熱システムは、室内と室外を隔離する外壁の開口部に、少なくとも透光性を有する仕切り手段が設置された空間における、当該仕切り手段の近傍に設置するものとして説明する。仕切り手段は、代表的には、窓ガラスであるが、この他、透明樹脂等にて形成された窓パネルであってもよい。以下では、「遮熱対象空間」が「室内」であり、「熱供給空間」が「室外」であり、「仕切り手段」が「窓ガラス」であるものとして説明する。
【００２２】
〔II〕各実施の形態の具体的内容
次に、本発明に係る各実施の形態の具体的内容について説明する。
【００２３】
〔実施の形態１〕
最初に、実施の形態１について説明する。この形態は、ロールスクリーン１０を手動で昇降させる形態である。
【００２４】
（構成−設置環境）
最初に、実施の形態１に係る遮熱システム１の設置環境の構成について説明する。図１は、実施の形態１に係る遮熱システム１の側断面図、図２は、図１の領域Ａの拡大図、図３は、図２の斜視図、図４は遮熱システム１の使用時における側断面図である。なお、以下では、図１におけるＸ方向を「奥行き」、Ｙ方向を「高さ」又は「長さ」、Ｚ方向を「幅」と、必要に応じて称して説明することとする。また、Ｘ方向における正の方向を指すときは「内側」、負の方向を指すときは「外側」と必要に応じて称して説明することとする。これら図１、図２、図３、図４に示すように、本実施の形態においては、室内２と室外３を隔てる外壁４が設けられており、この外壁４には開口部５が形成されており、この開口部５には窓６が設置されている。この窓６は、窓枠７と窓ガラス８から構成されている。窓枠７は、開口部５の側壁に設置される樹脂製又は金属製の枠体であり、開口部５の幅方向の両端部から高さ方向に沿って配置される二本の縦枠７ａと、開口部５の上部において幅方向に沿って配置される上枠７ｂと、開口部５の下部において幅方向に沿って配置される下枠７ｃとから、正面ロ字形状に構成されている。窓ガラス８は、この窓枠７に例えば嵌め殺し状に固定されている。なお、窓６は嵌め殺し窓以外の窓でも良く、引き違い窓等のような開放できる窓であっても構わない。なお、以下では図１、図２、図３、図４を参照しつつ説明する。
【００２５】
（構成−遮熱システム）
次に、本実施の形態に係る遮熱システム１の構成について説明する。本実施の形態に係る遮熱システム１は、開口部５における窓ガラス８よりも室内２側に設けられるものであり、概略的に、ロールスクリーン１０、ガイドレール２０、巻取り軸３０、カーテンボックス４０、吸気ファン５０、及びカバー６０を備えて構成されている。なお、これら各構成要素の構成としては、特記する場合を除き公知の構成を採用することが可能であるため、その詳細な説明を省略する。
【００２６】
（構成−遮熱システム−ロールスクリーン）
ロールスクリーン１０は、室外３と室内２の間に設置され、室外３と当該ロールスクリーン１０との間に遮熱空間９を形成する遮熱空間形成手段である。より具体的には、このロールスクリーン１０は、窓枠７の上枠７ｂ及び下枠７ｃと略同一の幅であって、窓枠７の縦枠７ａと略同一の高さを有する幕状体として形成され、窓ガラス８と平行な面に沿って巻出し可能となるように構成されている。
【００２７】
ここで、ロールスクリーン１０は、後述する巻取り軸３０から室内２に垂下された操作チェーン３１を操作することによって、自在に巻取り及び巻出しを行うことが可能である。例えば、室内２に太陽光を多く取り入れたいときは、ロールスクリーン１０を巻取って後述するカーテンボックス４０に納めることで、窓６を介して室外３から室内２に太陽光を取り入れる事が可能である。また、室内２に太陽光が取り入れられることを防ぎたいときは、ロールスクリーン１０を巻出して窓６を覆うことで、窓６を介して室外３から室内２に太陽光が侵入することを防ぐことが可能である。
【００２８】
このロールスクリーン１０は、窓ガラス８からＸ方向に所定距離（例えば２０ｃｍ）離れた位置において、巻出し可能となるように構成されている。このようにロールスクリーン１０を窓ガラス８から離れた位置に配置することで、これらロールスクリーン１０と窓ガラス８との相互間には、空間が形成される。この空間は、熱供給空間から遮熱対象空間に対して放射される熱を遮蔽するための空間として機能させることができるため、以下では、当該空間を「遮熱空間９」と称する。
【００２９】
このように構成されたロールスクリーン１０は、メッシュ構造にて形成されており、適度な透光性を有するため、ロールスクリーン１０により窓ガラス８が覆われている状態でも、室内２からロールスクリーン１０越しに室外３を見通すことが可能である。
【００３０】
また、ロールスクリーン１０の両側面のうち、室外３側の側面の全面にはアルミ蒸着加工が施されており、このことによってロールスクリーン１０に高い日射反射性能を持たせることができるため、ロールスクリーン１０を介して室外３から室内２に放射される日射熱を大幅に低減することが可能である。
【００３１】
また、ロールスクリーン１０の下端には、案内枠１１が取り付けられている。この案内枠１１は、ロールスクリーン１０と略同一の幅に形成された樹脂製又は金属製の棒状の枠体であり、その幅方向の両端部が後述するガイドレール２０に摺動可能に配置されることで、ロールスクリーン１０がガイドレール２０によって昇降可能に保持される。
【００３２】
また、ロールスクリーン１０の幅方向の両端部には、図示しないファスナーが設けられている。このファスナーは、ガイドレール２０の開口よりも大きい奥行きを有し、ガイドレール２０と係合する。このことにより、ロールスクリーン１０がガイドレール２０をスムーズに摺動することが可能となり、さらに、ロールスクリーン１０がガイドレール２０から抜け落ちてしまうことを防止でき、ロールスクリーン１０とガイドレール２０の隙間から室内２に向けて入り込む光、空気及び熱等を遮蔽することが可能である。
【００３３】
（構成−遮熱システム−ガイドレール）
ガイドレール２０は、ロールスクリーン１０を昇降可能に保持するガイド手段であり、窓枠７の両縦枠７ａに設置された樹脂製又は金属製の略Ｃ字上の棒状の枠体である。このガイドレール２０は、ロールスクリーン１０に対向する側を開口とするレールであって、高さ方向に沿って形成されたレールを有し、このレールの内部に、上述したロールスクリーン１０の案内枠１１の幅方向の両端部に設けたファスナーが摺動可能に配置されることで、ロールスクリーン１０がガイドレール２０によって昇降可能に保持される。このため、ロールスクリーン１０の両側端と窓枠７の両縦枠７ａとの間に隙間が生じなくなり、遮熱空間９の気密性を向上させることが可能となる。従って、遮熱空間９の空気がロールスクリーン１０の両側端と窓枠７の両縦枠７ａとの間を通って室内２に流入することを防止でき、このような空気の流入によって室内２の空調負荷が増大してしまう事態を防ぐ事が可能となる。
【００３４】
（構成−遮熱システム−巻取り軸）
巻取り軸３０は、ロールスクリーン１０の巻き取り及び巻き出しを行うための巻取り手段である。この巻取り軸３０は、後述のカーテンボックス４０に水平方向に沿った向きで収容されるものであって、ロールスクリーン１０と略同一の幅の略円筒体であり、その外周面の一端にロールスクリーン１０の上端部が固定されている。そして、巻取り軸３０を所定の一方向に回転させることで、ロールスクリーン１０を巻取り軸３０に巻き取ることが可能である。また、巻取り軸３０を所定の他方向に回転させることで、ロールスクリーン１０を巻き出すことが可能である。
【００３５】
この巻取り軸３０には、操作チェーン３１が取り付けられている。この操作チェーン３１は、巻取り軸３０を回転操作させるための操作手段であり、樹脂製の環状のチェーンとして構成されており、巻取り軸３０の幅方向の一端部から垂下されている。そして、この操作チェーン３１を所定の一方向に回転させることで、巻取り軸３０を所定の一方向に回転させてロールスクリーン１０を巻き取ることが可能である。また、操作チェーン３１を所定の他方向に回転させることで、巻取り軸３０を所定の他方向に回転させてロールスクリーン１０を巻き出すことが可能である。なお、このようにロールスクリーン１０を巻き取り又は巻き出しすることにより、ロールスクリーン１０の案内枠１１と窓６の下枠７ｃとの間に生じる隙間を開放部１２と称して説明する。また、この操作チェーン３１の巻取り軸３０に対する接続構造については、公知の構造を採用することが可能であるため、その詳細な説明を省略する。
【００３６】
（構成−遮熱システム−カーテンボックス）
カーテンボックス４０は、巻取り軸３０を収容する収容手段であり、少なくとも巻取り軸３０を収容可能な略箱状に形成されている。具体的には、カーテンボックス４０は、巻取り軸３０を収容可能な大きさの内部空間を有する、樹脂製又は金属製の略方形箱状体として形成されている。このカーテンボックス４０は、外壁４の開口部５におけるロールスクリーン１０の上方に固定されている。このカーテンボックス４０の側壁には、後述する吸気ファン５０と接続される吸気口４１と、ロールスクリーン１０の巻取り口４３とが形成されている。
【００３７】
（構成−遮熱システム−カーテンボックス−吸気口）
吸気口４１は、遮熱空間９の空気を、カーテンボックス４０の内部を介してカーテンボックス４０の外部に排出するための空気排出用開口であり、例えば、カーテンボックス４０の側壁のうち、室内２側の側壁に、幅方向に沿って複数設けられている。各吸気口４１の内側には吸気ダクト４２が接続されており、これら各吸気ダクト４２は１本の吸気ダクト４２に集約された後、外壁４において室外３に開放するように形成された図示しない排出口に接続されている。すなわち、カーテンボックス４０は、吸気口４１及び吸気ダクト４２を介して室外３と接続されている。この吸気ダクト４２の管路中には、後述する吸気ファン５０が設けられている。
【００３８】
（構成−遮熱システム−カーテンボックス−巻取り口）
巻取り口４３は、ロールスクリーン１０をカーテンボックス４０の内部に対して巻出し又は巻取りするための開口であって、カーテンボックス４０の底面に設けられている。具体的には、カーテンボックス４０の底面の略全面に巻取り口４３が形成されている。この巻取り口４３には、スクリーンガイド４４と、後述するカバー６０が設けられている。
【００３９】
スクリーンガイド４４は、ロールスクリーン１０を巻出し又は巻取りする際に、ロールスクリーン１０が巻取り口４３における一定の位置を通るように、ロールスクリーン１０を案内する案内手段である。具体的には、スクリーンガイド４４は、水平に配置された板状体であって、カーテンボックス４０と略同一の幅を有すると共に、巻取り口４３の外側の端部と巻取り軸３０の軸中心近傍の中間の地点近傍から巻取り軸３０の軸中心近傍に至る奥行きを有する。この巻取り口４３には、引き出し孔４５が形成されている。この引き出し孔４５は、ロールスクリーン１０と略同一幅であって、ロールスクリーン１０の厚みよりもやや大きな奥行きで形成されており、この引き出し孔４５にロールスクリーン１０が挿通されている。このため、ロールスクリーン１０が巻取り軸３０に巻き取られている程度に応じて、巻取り軸３０に対するロールスクリーン１０の引き出し位置が変動した場合であっても、ロールスクリーン１０を引き出し孔４５に対応した一定の位置から室内２に引き出すことが可能となる。なお、このスクリーンガイド４４を省略し、巻取り軸３０に巻き取られているロールスクリーン１０を直接室内２に引き出すこととしても良い。なお、カバー６０については後述する。
【００４０】
（構成−遮熱システム−吸気ファン）
吸気ファン５０は、遮熱空間９に取り入れられた空気の吸気を行う吸気手段であり、吸気ダクト４２の管路中に設けられている。そして、上述したように、カーテンボックス４０は、吸気口４１及び吸気ダクト４２を介して室外３と接続されているため、この吸気ファン５０を回転させることで、カーテンボックス４０内部の空気を、吸気口４１及び吸気ダクト４２を介して、室外３に排出することが可能である。なお、カーテンボックス４０の内部空間と遮熱空間９とは空間的に連通しているため、カーテンボックス４０の内部の空気が排出されてカーテンボックス４０内部が負圧となることで、遮熱空間９の内部の空気がカーテンボックス４０に流入する。このような吸気ファン５０の機能によって、室内２から開放部１２を通り、遮熱空間９の内部においてロールスクリーン１０に沿って上昇し、さらにカーテンボックス４０を介して吸気口４１に吸い込まれる気流が生じる。なお、図２では、図示の便宜上、吸気口４１と吸気ファン５０が近接したものとして図示しているが、吸気ファン５０を空調機械室のような遠方の場所に設けて、吸気ファン５０と吸気口４１を吸気ダクト４２により接続する構成を採ってもよい。
【００４１】
（構成−遮熱システム−カバー）
カバー６０は、遮熱空間９からカーテンボックス４０を介して室内２に流入する空気の流入路を遮蔽する遮蔽手段である。具体的には、このカバー６０は、巻取り口４３におけるロールスクリーン１０よりも室内２側の面を遮蔽する。より具体的には、このカバー６０は、水平に配置された板状体であって、カーテンボックス４０と略同一の幅を有すると共に、スクリーンガイド４４の内側の端部から巻取り口４３の内側の端部に至る奥行きを有する。そして、このカバー６０の外側の端辺は、スクリーンガイド４４との間に隙間が生じることがないように、スクリーンガイド４４の内側の端部の上面に密接状に載置されている。また、このカバー６０の内側の端辺は、カーテンボックス４０との間に隙間が生じることがないように、カーテンボックス４０の吸気口４１が設けられている側面に対して溶接や接着等によって固定されている。また、このカバー６０の幅方向の両端辺は、カーテンボックス４０の奥行方向に沿った各側面に対して溶接や接着等によって固定されている。このような構成により、遮熱空間９に取り入れられた空気が遮熱対象空間に流入することを防ぐことが可能であり、遮蔽手段を備えない遮熱システムに比べて、空調負荷を低減することが可能である。
【００４２】
カバー６０の幅方向の端部には、操作チェーン３１をカーテンボックス４０から室内２に垂下するためのチェーン用孔６１が設けられている。このチェーン用孔６１の径は、少なくとも操作チェーン３１の径よりも大きければ良いが、カーテンボックス４０の空気がこの孔から室内２に流入してしまうことを防ぐために、極力小さい径であることが望ましい。
【００４３】
なお、カバー６０のロールスクリーン１０に近い側の端部は、図２に示すように、先端を折り返すことにより、側面略Ｕ字状とされている。このため、何らかの原因（例えば地震による揺れ等）により、カバー６０がロールスクリーン１０に接触しても、カバー６０によってロールスクリーン１０を傷付けつけること等を防止できる。
【００４４】
（使用方法）
次に、本実施の形態に係る遮熱システム１の使用方法について説明する。まず、ユーザは、操作チェーン３１を操作することで巻取り軸３０を回転させ、図４に示すように、ロールスクリーン１０を完全に下ろしきった状態から所定距離（例えば３〜５ｃｍ）だけ巻き取った状態にし、ロールスクリーン１０と窓枠７の底面との間に当該所定距離の開放部１２を形成する。そして、ユーザは、図示しない操作スイッチを操作することで吸気ファン５０を稼動させて吸気を行わせる。このことにより、室内２の空気が、ロールスクリーン１０の下方に形成された開放部１２から遮熱空間９に取り入れられ、当該取り入れられた空気が、遮熱空間９においてロールスクリーン１０の外側面に沿って上昇し、カーテンボックス４０、吸気口４１、及び吸気ダクト４２を順次介して、室外３に排出される。
【００４５】
（実施の形態１の効果）
実施の形態１に係る遮熱システム１によれば、遮熱空間９に取り入れられた空気が遮熱対象空間に流入することをカバー６０によって防ぐことが可能であり、カバー６０を備えない遮熱システムに比べて、空調負荷を低減することが可能である。
【００４６】
また、窓ガラス８とロールスクリーン１０の間の空間の空気を吸気ファン５０により吸気することが可能である。このため、例えば、既設の窓ガラス８の室内２側に遮熱システム１を設置することで、窓ガラス８とロールスクリーン１０との相互間に遮熱空間９を形成して遮熱を行うことができる。
【００４７】
また、カバー６０が、カーテンボックス４０の巻取り口４３におけるロールスクリーン１０よりも遮熱対象空間側を遮蔽することで、遮熱空間９に取り入れられた空気がカーテンボックス４０を介して遮熱対象空間に流入することを防止することが可能である。
【００４８】
また、ロールスクリーン１０と窓枠７との間に隙間が生じることをガイドレール２０によって防止することができるので、遮熱空間９の気密性を向上させることができ、遮熱システム１の空調負荷を一層低減することが可能である。
【００４９】
また、ロールスクリーン１０の日射反射率をアルミ蒸着によって向上させることが可能であり、遮熱システム１の空調負荷を一層低減することが可能である。
【００５０】
〔実施の形態２〕
次に、実施の形態２について説明する。この形態は、ロールスクリーン１０を自動で昇降させる形態である。なお、実施の形態２の構成や処理は、特記する場合を除いて実施の形態１の構成や処理と略同一であり、実施の形態１の構成や処理と略同一の構成や処理についてはこの実施の形態１で用いたのと同一の符号を必要に応じて付して、その説明を省略する。
【００５１】
（構成）
最初に、実施の形態２に係る遮熱システム７０の構成について説明する。図５に示すように、この遮熱システム７０は、概略的に、実施の形態１に係る遮熱システム１に対して、さらにモータ７１、制御部７２、及び操作部７３を備えて構成されている。
【００５２】
（構成−モータ）
モータ７１は、巻取り軸３０を回転させる自動巻取り手段である。このモータ７１の回転軸は、その端部において、巻取り軸３０の一方の端部と、直接的に又は図示しないギア等を介して間接的に連結されており、制御部７２から送信される制御信号に応じて回転軸を回転させることにより、巻取り軸３０を回転させる。
【００５３】
（構成−制御部）
制御部７２は、巻取り軸３０及び吸気ファン５０を制御する制御手段である。この制御部７２は、例えば、図示しないＣＰＵ（Ｃｅｎｔｒａｌ  Ｐｒｏｃｅｓｓｉｎｇ  Ｕｎｉｔ）及びこのＣＰＵ上で解釈実行されるプログラムを含んで構成されている。この制御部７２は、モータ７１に制御信号を送信し、モータ７１を起動又は停止させることにより、巻取り軸３０の回転方向及び回転量を制御する。また、制御部７２は、吸気ファン５０に制御信号を送信し、吸気ファン５０を起動又は停止させると共に、起動時にはその吸気量を制御する。
【００５４】
（構成−操作部）
操作部７３は、制御部７２を介して遮熱システム７０を操作するための操作手段である。この操作部７３は、例えば、制御部７２に対して有線又は無線には接続された複数の押しボタン式のスイッチを備えて構成されている。これら複数の押しボタン式のスイッチとしては、例えば、「開スイッチ７３ａ」、「閉スイッチ７３ｂ」、及び「自動スイッチ７３ｃ」の三種類のスイッチが設けられている。これら各スイッチの機能については後述する。
【００５５】
（処理）
次に、実施の形態２に係る遮熱システム７０の処理について説明する。なお、この処理は所定のタイミングで行われるものであるが、本実施の形態では、ユーザが操作部７３のスイッチを押圧すると同時に処理を開始するものとして説明する。
【００５６】
まず、ユーザが「開スイッチ７３ａ」を押圧した場合の処理について説明する。この場合、操作部７３は、制御部７２に対して開スイッチ７３ａが押圧された旨の信号を送信する。この信号を受信した制御部７２は、モータ７１の回転軸を所定の巻取り方向に回転させるための制御信号を当該モータ７１に送信する。このことにより、モータ７１が所定の巻取り方向に回転し、巻取り軸３０が所定の巻取り方向に回転して、ロールスクリーン１０の巻取りを行わせる。この巻取りは、ユーザが開スイッチ７３ａを押し続けている間、継続して行われるため、ユーザはロールスクリーン１０が所望の位置に巻取られるまで開スイッチ７３ａを押し続けることで、ロールスクリーン１０を所望の位置に巻取らせることが可能である。
【００５７】
次に、ユーザが「閉スイッチ７３ｂ」を押圧した場合の処理について説明する。この場合、操作部７３は、制御部７２に対して閉スイッチ７３ｂが押圧された旨の信号を送信する。この信号を受信した制御部７２は、モータ７１の回転軸を所定の巻出し方向に回転させるための制御信号を当該モータ７１に送信する。このことにより、モータ７１が所定の巻出し方向に回転し、巻取り軸３０が所定の巻出し方向に回転して、ロールスクリーン１０の巻出しを行わせる。この巻出しは、ユーザが閉スイッチ７３ｂを押し続けている間、継続して行われるため、ユーザはロールスクリーン１０が所望の位置に巻出されるまで閉スイッチ７３ｂを押し続けることで、ロールスクリーン１０を所望の位置に巻出させることが可能である。
【００５８】
さらに、ユーザが「自動スイッチ７３ｃ」を押圧した場合の処理について説明する。この場合、操作部７３は、制御部７２に対して自動スイッチ７３ｃが押圧された旨の信号を送信する。この信号を受信した制御部７２は、モータ７１の回転軸を所定の巻取り方向又は巻出し方向に回転させるための制御信号を当該モータ７１に送信する。このことにより、モータ７１が所定の巻取り方向又は巻出し方向に回転し、巻取り軸３０が所定の巻取り方向又は巻出し方向に回転して、ロールスクリーン１０の巻取り又は巻出しを行わせる。このように巻取り又は巻出しを行わせることで、図４に示すように、ロールスクリーン１０を、完全に下ろしきった状態から所定距離（例えば３〜５ｃｍ）だけ巻き上がった状態で停止させて、ロールスクリーン１０と窓枠７の底面との間に所定距離（例えば３〜５ｃｍ）の開放部１２を形成する。このようなロールスクリーン１０の位置制御は、例えば、巻取り軸３０に連携した図示しないロータリーエンコーダを用いて行うことができ、あるいは、窓枠７に設けたロールスクリーン１０の位置検知センサを用いて行うことができる。このことにより、開放部１２を自動的に形成することができる。
【００５９】
また、制御部７２は、このようにロールスクリーン１０の位置制御を完了した後、制御信号を吸気ファン５０に送信することで、当該吸気ファン５０を起動させ吸気を行わせる。この際、吸気ファン５０の吸気量を、遮熱空間９や室内２の温度に応じて制御する。すなわち、遮熱空間９や室内２に設けた図示しない温度センサからの出力に基づいて、遮熱空間９や室内２の温度が高くなる程、吸気量が増大するように、吸気ファン５０の吸気量を制御する。
【００６０】
（実施の形態２の効果）
本実施の形態に係る遮熱システム７０によれば、実施の形態１と同様の効果に加えて、制御部７２が自動で開放部１２を形成することによって、手動で操作チェーン３１を操作してロールスクリーン１０の巻取り又は巻出しを行う手間を省くことが可能である。また、開放部１２から遮熱空間９へ空気を取り込むことができるので、遮熱空間９の空気を吸気することに伴って遮熱空間９の圧力が大きな負圧となることを防止することができ、ロールスクリーン１０が遮熱空間９側に引き寄せられて変形等することを防止することが可能である。
【００６１】
〔III〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００６２】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、遮熱システムの空調負荷や耐用年数が従来と同程度に留まる場合であっても、従来と異なるシステムによって遮熱を達成できている場合には、本発明の課題は解決されている。
【００６３】
（寸法や材料について）
発明の詳細な説明や図面で説明した遮熱システム１の各部の寸法、形状、比率等は、あくまで例示であり、その他の任意の寸法、形状、比率等とすることができる。
【００６４】
（遮熱システムの設置対象について）
各実施の形態において、遮熱システムは、室内２と室外３を隔離する外壁４の開口部５に窓ガラス８が設置された空間における、窓ガラス８近傍に設置するものとして説明したが、窓ガラス８のない開放空間に設置してもよい。また、窓ガラス８のある空間に設置する場合であっても、窓ガラス８を遮熱システムと共に新設する場合のみならず、既設の窓ガラス８に対して遮熱システムのみを設置してもよい。
【００６５】
（遮熱システムについて）
各実施の形態において、カーテンボックス４０、巻取り軸３０、及び吸気口４１（以下、単に吸気口４１等）は、窓枠７の上方に設けられるものとして説明したが、これらを、窓枠７の下方に設けても良い。すなわち、季節が夏である場合は、遮熱空間９の内部の空気は、熱供給空間から遮熱空間９に放射される熱により暖められて上昇するため、吸気口４１等を窓枠７上部に設けることが好ましい。しかし、季節が冬である場合は、遮熱空間９の内部の空気は、熱供給空間から遮熱空間９に放射される冷熱により冷やされて下降するため、吸気口４１等を窓枠７下部に設ける方が好ましい。あるいは、例えば、吸気口４１等を窓枠７の上部や下部に設けることができないような構造上の問題がある場合には、これら吸気口４１等を窓枠７の側方に設けることで、ロールスクリーン１０を鉛直面に沿って水平方向に巻出し又は巻取りするようにしてもよい。
【００６６】
（吸気口について）
各実施の形態において、吸気口４１は、カーテンボックス４０の側面に設けるものとして説明したが、その他の場所に設けてもよい。例えば、吸気口４１は、外壁４における遮熱空間９の上方位置、側方位置、あるいは下方位置に設けてもよく、この場合には、遮熱空間９の空気をカーテンボックス４０に流入させることなく吸気口４１から吸気することができる。
【００６７】
（遮蔽手段について）
各実施の形態において、カバー６０は、カーテンボックス４０の巻取り口４３に設けるものとして説明したが、その他の場所に設けてもよく、少なくとも、遮熱空間９から遮熱対象空間に流入する空気の流入路を遮蔽することが可能であれば良い。例えば、上記のように吸気口４１を外壁４における遮熱空間９の上方位置等に設けた場合には、遮熱空間９の空気の大部分はカーテンボックス４０に流入させることなく吸気口４１から吸気することができるため、巻取り口４３におけるロールスクリーン１０よりも熱供給空間側にカバー６０を設けてもよく、この場合には、カバー６０をスクリーンガイド４４と兼用してもよい。
【００６８】
また、カバー６０は、巻取り口４３以外に設けてもよい。例えば、カバー６０を、カーテンボックス４０の幅と略同一の幅の板状体として形成し、このカバー６０の短手方向の一端辺を、カーテンボックス４０の内側面における吸気口４１よりも外側の位置に回動自在に固定すると共に、このカバー６０の短手方向の他端辺を、巻取り軸３０に巻き取られたロールスクリーン１０の外周面に載置させるようにしてもよい。このような構成により、巻取り軸３０に巻き取られたロールスクリーン１０の径が、当該ロールスクリーン１０の巻取り量に伴って変動しても、カバー６０の短手方向の他端辺が、ロールスクリーン１０の外周面に常に接触することで、これらロールスクリーン１０とカバー６０との相互間が隙間なく塞がれ、空気が吸気口４１に流入することを防止することができる。また、この場合において、カバー６０の短手方向の他端辺がロールスクリーン１０に密着するように、カバー６０の短手方向の他端辺をロールスクリーン１０に向かう方向に付勢するためのバネを設けてもよい。また、カバー６０は、金属以外にも、弾性体や布体の如き柔軟性のある素材にて形成してもよい。また、カバー６０の設置数や設置箇所は、一つに限定されず、複数のカバー６０を異なる位置に設けてもよい。
【００６９】
（制御手段について）
例えば、温度センサからの出力に基づいて吸気ファン５０の吸気量を制御部７２が制御する場合、この出力に基づいて開放部１２の開度（高さ）を制御するようにしてもよい。例えば、温度が高いために吸気ファン５０の吸気量を増大させることで換気量を増大させる場合には、開放部１２の開度も増大させることで、遮熱空間９の圧力が大きな負圧となることを防止してもよい。
【００７０】
また、遮蔽手段による遮熱空間９から遮熱対象空間に流入する空気の流入路の遮蔽の程度を、制御手段で制御するようにしてもよい。すなわち、遮蔽手段をモータ７１等にて回転可能に構成すると共に、制御部７２によりこのモータ７１を制御することで遮蔽手段による遮蔽の程度を調整してもよい。例えば、吸気ファン５０として固定回転数のファンを用いているために、吸気ファン５０の吸気量を制御することができない場合であって、単に吸気ファン５０にて吸気して遮熱空間９の空気を外部に排出した場合に遮熱対象空間の温度が低下し過ぎるような場合には、遮蔽手段による遮蔽の程度を緩和して、吸気ファン５０にて吸気した遮熱空間９の空気の一部を当該遮熱空間９に意図的に流入させることで、遮熱対象空間の温度の低下を緩和してもよい。
【符号の説明】
【００７１】
１、７０  遮熱システム
２  室内
３  室外
４  外壁
５  開口部
６  窓
７  窓枠
７ａ  縦枠
７ｂ  上枠
７ｃ  下枠
８  窓ガラス
９  遮熱空間
１０  ロールスクリーン
１１  案内枠
１２  開放部
２０  ガイドレール
３０  巻取り軸
３１  操作チェーン
４０  カーテンボックス
４１  吸気口
４２  吸気ダクト
４３  巻取り口
４４  スクリーンガイド
４５  引き出し孔
５０  吸気ファン
６０  カバー
６１  チェーン用孔
７１  モータ
７２  制御部
７３  操作部
７３ａ  開スイッチ
７３ｂ  閉スイッチ
７３ｃ  自動スイッチ
【図１】
2013227750.tif 000003
【図２】
2013227750.tif 000004
【図３】
2013227750.tif 000005
【図４】
2013227750.tif 000006
【図５】
2013227750.tif 000007